(57)【要約】【課題】  余分な通信料金が発生することなく、モデムを搭載しないＰＨＳ基地局のゾーン内にあるＰＨＳ端末からもモデム通信を実現可能とする。【解決手段】  モデムを搭載しないＰＨＳ基地局２のゾーン内にあるＰＨＳ端末１からモデム通信の要求があったとき、モデム非搭載ＰＨＳ基地局２から同一料金のエリア内にあるモデム搭載ＰＨＳ基地局５に呼を転送する。【選択図】  図１
2005223842.tif 000002
【特許請求の範囲】
【請求項１】
ＰＨＳ端末、ＰＨＳ基地局、網、認証情報センタを有するＰＨＳシステムにおけるモデム通信方法において、ＰＨＳ端末からモデム非搭載ＰＨＳ基地局にモデム通信の要求があったとき、モデム非搭載ＰＨＳ基地局から同一料金のエリア内にあるモデム搭載ＰＨＳ基地局に呼を転送することを特徴とするＰＨＳシステムにおけるモデム通信方法。
【請求項２】
前記、モデム非搭載ＰＨＳ基地局から同一料金のエリア内にあるモデム搭載ＰＨＳ基地局に呼を転送するに際し、
ＰＨＳ端末からモデム通信の要求を受けたモデム非搭載ＰＨＳ基地局は、モデム通信と判別できる符号と対向モデムの番号が設定されたユーザ・ユーザ情報要素を含むネットワーク呼設定メッセージを網へ送信し、
そのネットワーク呼設定メッセージを受信した網は上記ＰＨＳ端末が位置登録されているエリア内にあるＰＨＳ基地局へ一斉にネットワーク呼設定を送信し、
ユーザ・ユーザ情報要素にモデム通信と判別できる符号と対向モデムの番号が設定されているネットワーク呼設定を受信したモデム搭載ＰＨＳ基地局は、網からの呼接続要求に応じて代理でモデム通信を行うための認証を認証情報センタから得た後、ネットワーク呼設定受付およびネットワーク応答を網に送信し、
網は上記モデム搭載ＰＨＳ基地局にはネットワーク応答確認を、上記モデム非搭載ＰＨＳ基地局にはネットワーク応答を送信し、
上記モデム非搭載ＰＨＳ基地局は網に対してネットワーク応答確認を返すことにより、
上記モデムを搭載するＰＨＳ基地局と上記モデム非搭載ＰＨＳ基地局とを接続する手順を含むことを特徴とする請求項１記載のＰＨＳシステムにおけるモデム通信方法。
【請求項３】
ＰＨＳ端末、ＰＨＳ基地局、網、認証情報センタを有するＰＨＳシステムにおけるモデム通信システムにおいて、ＰＨＳ端末からモデム非搭載ＰＨＳ基地局にモデム通信の要求があったとき、モデム非搭載ＰＨＳ基地局から同一料金のエリア内にあるモデム搭載ＰＨＳ基地局に呼を転送することを特徴とするＰＨＳシステムにおけるモデム通信システム。
【請求項４】
前記、モデム非搭載ＰＨＳ基地局から同一料金のエリア内にあるモデム搭載ＰＨＳ基地局への呼の転送は、
ＰＨＳ端末からの呼接続要求に対し認証情報センタに認証を要求し応答を受信する手段と、
ＰＨＳ端末からのモデム通信呼を転送する手段を有するモデム非搭載ＰＨＳ基地局と、
網からの呼接続要求に対して認証センタに認証を要求し応答を受信する手段と転送されたモデム通信の呼と接続する手段および対向のモデムと通信を行う手段を有するモデム搭載ＰＨＳ基地局と、ＰＨＳ基地局から認証の要求を解析し解析した結果を応答する手段を有する認証情報センタと、
網によって行われることを特徴とする請求項３記載のＰＨＳシステムにおけるモデム通信システム。
【発明の詳細な説明】
【技術分野】
【０００１】
本発明は、ＰＨＳ通信に係わり、特にモデム通信方法およびモデム通信システムに関するものである。
【背景技術】
【０００２】
ＰＨＳ端末から着信先の対向へのアナログモデムにモデム通信を行おうとする際、ＰＨＳ端末とＰＨＳ基地局間の無線区間では、TDMA方式（Time Division Multiple Access：1つの周波数を短時間ずつ交代で複数の発信者で共有する方式）による通信方法を採用しているため、モデムのように連続した信号を必要とする通信相手とは直接通信することができない。したがって、従来は、ＰＨＳ端末から受信したデータをＰＨＳ基地局で一旦バッファリングし、ＰＨＳ基地局に搭載されたモデムを使用して対向モデムと通信を行うことが必要であった。このため、どこのエリアでもモデム通信を行えるようにするためには、全てのＰＨＳ基地局にモデムを搭載することが必要であった。しかし、モデム通信の通信量が小さな地域では全ＰＨＳ基地局にモデムを搭載することは不経済であるが、ＰＨＳ基地局からモデムを除外すると、そのＰＨＳ基地局のゾーン内にあるＰＨＳ端末からは全くモデム通信ができなくなるという問題があった。
【非特許文献１】社団法人電波産業会  第二世代コードレス電話システム  ＲＣＲ  ＳＴＤ−２８
【非特許文献２】社団法人電信電話技術委員会  ＴＴＣ標準  ＪＴ−Ｑ９３１−ｂ  ＰＨＳ公衆用基地局−ディジタル網間  インタフェース−レイヤ３仕様
【発明の開示】
【発明が解決しようとする課題】
【０００３】
本発明は上記のような従来の問題点に鑑みてなされたもので、解決しようとする問題点は、モデムを搭載しないＰＨＳ基地局のゾーン内にあるＰＨＳ端末からもモデム通信を実現可能とする点である。また、モデムのリソースを集約したセンタを設置し、センタを経由して通信を行うことによっても前記の問題点は解決されるものの、センタ装置は全国で数カ所の設置となり、ＰＨＳ基地局−センタ間の通信料金が余分に発生してしまう問題点が新たに生ずる。本発明は、かかる新たな問題点にも鑑み、余分な通信料金を発生することなく、モデムを搭載しないＰＨＳ基地局のゾーン内にあるＰＨＳ端末からもモデム通信を実現可能とするものである。
【課題を解決するための手段】
【０００４】
本発明のＰＨＳにおけるモデム通信の方法は、ＰＨＳ端末、ＰＨＳ基地局、網、認証情報センタを有するＰＨＳシステムにおけるモデム通信方法において、ＰＨＳ端末からモデム非搭載ＰＨＳ基地局にモデム通信の要求があったとき、モデム非搭載ＰＨＳ基地局から同一料金のエリア内にあるモデム搭載ＰＨＳ基地局に呼を転送することを特徴とするものである。
【０００５】
さらに、本発明のＰＨＳにおけるモデム通信の方法は、モデム非搭載ＰＨＳ基地局から同一料金のエリア内にあるモデム搭載ＰＨＳ基地局に呼を転送するに際し、ＰＨＳ端末からモデム通信の要求を受けたモデム非搭載ＰＨＳ基地局は、モデム通信と判別できる符号と対向モデムの番号が設定されたユーザ・ユーザ情報要素を含むネットワーク呼設定メッセージを網へ送信し、そのネットワーク呼設定メッセージを受信した網は上記ＰＨＳ端末が位置登録されているエリア内にあるＰＨＳ基地局へ一斉にネットワーク呼設定を送信し、ユーザ・ユーザ情報要素にモデム通信と判別できる符号と対向モデムの番号が設定されているネットワーク呼設定を受信したモデム搭載ＰＨＳ基地局は、網からの呼接続要求に応じて代理でモデム通信を行うための認証を認証情報センタから得た後、ネットワーク呼設定受付およびネットワーク応答を網に送信し、網は上記モデム搭載ＰＨＳ基地局にはネットワーク応答確認を、上記モデム非搭載ＰＨＳ基地局にはネットワーク応答を送信し、上記モデム非搭載ＰＨＳ基地局は網に対してネットワーク応答確認を返すことにより、上記モデムを搭載するＰＨＳ基地局と上記モデム非搭載ＰＨＳ基地局とを接続する手順を含むことを特徴としている。
【０００６】
また、本発明のＰＨＳにおけるモデム通信システムは、ＰＨＳ端末、ＰＨＳ基地局、網、認証情報センタを有するＰＨＳシステムにおけるモデム通信システムにおいて、ＰＨＳ端末からモデム非搭載ＰＨＳ基地局にモデム通信の要求があった場合、モデム非搭載ＰＨＳ基地局から同一料金のエリア内にあるモデム搭載ＰＨＳ基地局に呼を転送することを特徴とするものである。
【０００７】
さらに、本発明によるＰＨＳシステムにおけるモデム通信システムは、モデム非搭載ＰＨＳ基地局から同一料金のエリア内にあるモデム搭載ＰＨＳ基地局への呼の転送を、ＰＨＳ端末からの呼接続要求に対し認証情報センタに認証を要求し応答を受信する手段とＰＨＳ端末からのモデム通信呼を転送する手段を有するモデム非搭載ＰＨＳ基地局と、網からの呼接続要求に対して認証センタに認証を要求し応答を受信する手段と転送されたモデム通信の呼と接続する手段および対向のモデムと通信を行う手段を有するモデム搭載ＰＨＳ基地局と、ＰＨＳ基地局から認証の要求を解析し解析した結果を応答する手段を有する認証情報センタと、網によって実現することを特徴としている。
【発明の効果】
【０００８】
本発明によれば、モデムを搭載していないＰＨＳ基地局のゾーン内にあるＰＨＳ端末からでもモデム通信を行うことが可能となる。したがって、ＰＨＳシステムの装置コストを低減することができる。さらに、転送先を同一料金のエリア内に限定しているために余分な通信料金の発生を防ぐことができる。なお、ＰＨＳ基地局は、必要に応じて、プロトコルを一旦終端する機能を有するため、プロトコル変換用のセンタ装置を設けなくともモデム通信が可能である。
【発明を実施するための最良の形態】
【０００９】
以下、本発明の実施形態について図面を用いて説明する。
【００１０】
図１は本発明の一実施例であって、全体のシステム構成を示すブロック図である。
【００１１】
本システムはＰＨＳ端末１、モデムを搭載していないＰＨＳ基地局２、網３、認証情報センタ４、モデムを搭載したＰＨＳ基地局５およびＰＨＳ端末とモデム通信を行う対向のモデム６を有する。モデムを搭載したＰＨＳ基地局５はモデムを搭載していないＰＨＳ基地局２と同一料金のエリア内に、モデム通信料に応じて数台設置する。ＰＨＳ端末１はモデム通信を行う手段１ａを有し、ＰＨＳ基地局と無線により通信を行う。モデムを搭載していないＰＨＳ基地局２は、ＰＨＳ端末１からの呼接続要求に対して、網３に接続された認証情報センタ４に認証を要求し応答を受信する手段２ａ、およびＰＨＳ端末１からのモデム通信呼を転送する手段２ｂを有する。網３に接続された認証情報センタ４は、ＰＨＳ基地局から認証の要求を解析し、解析した結果を応答する手段４ａを有する。モデムを搭載しているＰＨＳ基地局５は、網３からの接続要求に対して認証センタ４に認証を要求し応答を受信する手段５ａ、転送されたモデム通信の呼を接続する手段５ｂ、および網３に接続された対向のモデム６と通信する手段５ｃを有する。ＰＨＳ基地局は、必要に応じて、プロトコルを一旦終端する。なお、モデムを搭載していないＰＨＳ基地局２、およびモデムを搭載しているＰＨＳ基地局５は、網３に接続されている。
【００１２】
図２は図１の構成で本発明を実施するためのシーケンス図である。なお、ＰＨＳ端末１がモデムを搭載しているＰＨＳ基地局５のゾーン内にあるときは、従来の方法によりモデム通信が可能であるので、以下、ＰＨＳ端末１がモデムを搭載していないＰＨＳ基地局２のゾーン内にあるときについて説明する。
【００１３】
ＰＨＳ端末−ＰＨＳ基地局間の無線区間上で送受信され、社団法人電波産業会  第二世代コードレス電話システム  ＲＣＲ  ＳＴＤ−２８に準拠する呼制御メッセージには、メッセージ名の先頭に、無線区間における回線呼接続制御に関する機能を有するＣＣを付与して記述する。ＰＨＳ基地局−網間の有線区間上で送受信され、社団法人電信電話技術委員会ＴＴＣ標準ＪＴ−Ｑ９３１−ｂ  ＰＨＳ公衆用基地局−ディジタル網間  インタフェース−レイヤ3仕様に準拠する回線交換モード接続制御メッセージには、メッセージ名の先頭に、有線網における回線呼接続制御に関する機能を有するＮＷ（ネットワーク）を付与して記述する。
【００１４】
図２におけるＳ１１で、ＰＨＳ端末１から、ＰＨＳ端末１の自局番号Ａである発番号と、対向モデム６の番号Ｂにモデム通信と判別できる符号である特番が付与されたＣＣ呼設定メッセージが発信される。ＣＣ呼設定メッセージを受信したモデムを搭載していないＰＨＳ基地局２は、Ｓ２１で認証情報センタ４に発番号に特番を付加して認証の要求を行う。
【００１５】
認証要求を受信した認証情報センタ４は内容を解析した後、Ｓ２２でモデム通信を指示する認証応答をモデムを搭載していないＰＨＳ基地局２に返す。
【００１６】
モデム通信を指示されたモデムを搭載していないＰＨＳ基地局２はモデムを搭載しているＰＨＳ基地局５と接続するためにＳ２３でネットワーク（以下、ＮＷと記す）呼設定メッセージを網３へ送信する。ここでＮＷ呼設定メッセージには、予め設定されているモデムを搭載していないＰＨＳ基地局２の自局番号であるダミーの発番号、ＰＨＳ端末１の自局番号Ａである着番号、および特番と対向モデム６の番号Ｂが設定されたユーザ・ユーザ情報要素（以下、ＵＵＩと記す）とが含まれる。ＮＷ呼設定メッセージを受信した網３は、Ｓ３１で、番号AのＰＨＳ端末１が位置登録されているエリア内にあるＰＨＳ基地局へ一斉にＮＷ呼設定を送信する。
【００１７】
モデムを搭載するＰＨＳ基地局５は、ＵＵＩに特番と対向モデム６の番号Bが設定されているＮＷ呼設定を受信すると、Ｓ４１で、網３からの呼接続要求に応じて、代理でモデム通信を行うための認証を認証情報センタ４に要求する。
【００１８】
認証要求を受信した認証情報センタ４は、認証要求の内容を解析し、モデム通信であることをＳ４２の認証応答によりモデムを搭載するＰＨＳ基地局５に指示する。
【００１９】
認証応答を受信したモデムを搭載するＰＨＳ基地局５は、Ｓ４３でＮＷ呼設定受付およびＮＷ応答を網３に送信する。網３は、モデムを搭載するＰＨＳ基地局５にはＮＷ応答確認を、モデムを搭載しないＰＨＳ基地局２にはＮＷ応答を送信する。モデムを搭載しないＰＨＳ基地局２は網３に対してＮＷ応答確認を返す。これら一連の手順により、モデムを搭載するＰＨＳ基地局５とモデムを搭載しないＰＨＳ基地局２とが接続される。また、モデムを搭載しないＰＨＳ基地局２はＮＷ応答を受信すると、モデム搭載ＰＨＳ基地局５が呼を受け付けたことを通知するためのメッセージであるCC応答を、Ｓ２４でＰＨＳ端末１へ送信する。モデムを搭載するＰＨＳ基地局５とモデムを搭載しないＰＨＳ基地局２とが接続されたら、Ｓ１２で、モデムを搭載したＰＨＳ基地局５とＰＨＳ端末１との間でモデムのネゴシエーションを行う。
【００２０】
ネゴシエーションを行い、モデムを搭載したＰＨＳ基地局５とＰＨＳ端末１との間のリンクが確立したら、Ｓ４４で、モデムを搭載したＰＨＳ基地局５は対向モデム６にＮＷ呼設定を送信する。
【００２１】
対向モデム６はＮＷ呼設定受付およびＮＷ応答をモデムを搭載したＰＨＳ基地局５に送信する。モデムを搭載したＰＨＳ基地局５は対向モデム６に対してＮＷ応答確認を返す。
【００２２】
対向モデム６とモデムを搭載したＰＨＳ基地局とが接続されたら、Ｓ４５で、ネゴシエーションを行う。モデムを搭載したＰＨＳ基地局５と対向モデム６との間のリンクが確立したら、Ｓ１３で、ＰＨＳ端末１と対向モデム６間のモデム通信を開始する。
【図面の簡単な説明】
【００２３】
【図１】本発明における全体のシステム構成を示すブロック図。
【図２】本発明におけるシーケンス図。
【符号の説明】
【００２４】
１    ＰＨＳ端末
１ａ    モデム通信を行う手段
２    モデム非搭載ＰＨＳ基地局
２ａ    ＰＨＳ端末からの呼接続要求に対し認証情報センタに認証を要求し応答を受信する手段
２ｂ  ＰＨＳ端末からのモデム通信呼を転送する手段
３    網
４    認証情報センタ
４ａ  ＰＨＳ基地局から認証の要求を解析し解析した結果を応答する手段
５    モデム搭載ＰＨＳ基地局
５ａ  網からの呼接続要求に対して認証センタに認証を要求し応答を受信する手段
５ｂ  転送されたモデム通信の呼と接続する手段
５ｃ  対向のモデムと通信を行う手段
６    対向モデム
６ａ  モデム通信を行う手段
【図１】
2005223842.tif 000003
【図２】
2005223842.tif 000004